(57)【要約】【課題】切除可能領域を切除した場合に、その切断面が危険な状態になるなどの不具合を適切に防止または抑制することが可能な温水ユニットを提供する。【解決手段】温水生成機能または温水貯留機能を有する温水関連機器を内部に収容する外装ケース１と、この外装ケース１のケース壁部２に断続的に設けられた複数のスリット２３を介して、ケース壁部２の他の領域であるベース領域２０とは区画された状態に設けられ、かつ複数のスリット２３の相互間に位置する接続部２４を介してベース領域２０に繋がっている切除可能領域２１と、を備えている、温水ユニットＵであって、ケース壁部２には、切除可能領域２１とベース領域２０との間に段差が生じるように、切除可能領域２１およびベース領域２０に対して屈曲状に繋がった段差壁部２２が設けられ、この段差壁部２２に、複数のスリット２３および接続部２４が設けられている。【選択図】  図５
2019207069.tif 000002
【特許請求の範囲】
【請求項１】
温水生成機能または温水貯留機能を有する温水関連機器を内部に収容する外装ケースと、
この外装ケースのいずれかのケース壁部に断続的に設けられた複数のスリットを介して、前記ケース壁部の他の領域であるベース領域とは区画された状態に設けられ、かつ前記複数のスリットの相互間に位置する接続部を介して前記ベース領域に繋がっている切除可能領域と、
を備えている、温水ユニットであって、
前記ケース壁部には、前記切除可能領域と前記ベース領域との間に前記ケース壁部の厚み方向の段差が生じるように、前記切除可能領域および前記ベース領域に対して屈曲状に繋がった段差壁部が設けられており、
この段差壁部に、前記複数のスリットおよび前記接続部が設けられていることを特徴とする、温水ユニット。
【請求項２】
請求項１に記載の温水ユニットであって、
前記ケース壁部は、前記外装ケースの内側と外側とを仕切っており、
前記段差壁部は、前記ベース領域から前記外装ケースの内側に向けて突出している、温水ユニット。
【請求項３】
請求項１または２に記載の温水ユニットであって、
前記複数のスリットのそれぞれは、前記ベース領域に対して前記切除可能領域寄りに離間した配置に設けられており、
前記段差壁部のうち、前記複数のスリットよりも前記ベース領域寄りの部分は、前記ベース領域からその厚み方向に屈曲して突出した突出部とされている、温水ユニット。
【請求項４】
請求項１ないし３のいずれかに記載の温水ユニットであって、
前記外装ケースは、配管部材または電気配線部材を通すための開口部、およびこの開口部を塞ぐためのカバー部材を備えており、
このカバー部材が、前記切除可能領域および前記ベース領域を備えている前記ケース壁部である、温水ユニット。
【請求項５】
請求項１ないし４のいずれかに記載の温水ユニットであって、
前記接続部は、前記切除可能領域側の一端部よりも前記ベース領域側の他端部の方が、幅が狭い構成とされている、温水ユニット。
【発明の詳細な説明】
【技術分野】
【０００１】
本発明は、温水関連機器が外装ケース内に収容されてユニット化された給湯器ユニットなどの温水ユニットに関する。
【背景技術】
【０００２】
温水ユニットの一例として、特許文献１に記載のものがある。
同文献に記載の温水ユニットにおいては、給湯器などの温水関連機器を内部に収容した外装ケースに、配管引き出し用の開口部が設けられており、かつこの開口部は、ケース壁部としてのカバー部材によって塞がれている。ただし、前記カバー部材には、複数のスリットが断続的に並んだ配列で設けられており、これら複数のスリットよりも下側の領域は、切除可能領域とされている。この切除可能領域は、複数のスリットの相互間に位置する接続部を介して複数のスリットよりも上側のベース領域に繋がっており、前記接続部を切断することによって、前記ベース領域から切除可能である。この切除可能領域を切除することにより、前記開口部の一部を開口させることができ、この部分を介して湯水流通用の配管部材を外装ケースの内側から外側に引き出すことが可能である。
このような構成によれば、前記開口部の全体を塞いだ状態と、その一部を開口させた状態とのいずれかを容易に選択することが可能である。したがって、いわゆるノックダウン方式（現地組み立て方式）で温水ユニットの設置作業を行なう場合に、融通性に優れたものとすることが可能である。
【０００３】
しかしながら、前記従来技術においては、次に述べるように、未だ改善すべき余地があった。
【０００４】
すなわち、前記カバー部材から切除可能領域を切除する場合には、ニッパなどの切断工具を用いて、接続部を切断する。このため、切除可能領域をカバー部材のベース領域から切除した状態においては、接続部の切断面が、ベース領域の縁部の端面に生じることとなる。これでは、前記切断面に温水ユニットの設置作業者やユーザの手が触れ易く、切断部がバリ状である場合に怪我をする虞がある。また、カバー部材が外部から見え易い位置に存在する場合には、切断面が目立つこととなって、見栄えが悪くなる。切断面は、他の塗装箇所と比較すると、錆を生じ易く、錆汚れが発生する要因となるが、このような錆汚れも外部から見え易い箇所に発生することとなって、温水ユニットの見栄えは、一層悪くなる虞がある。
【先行技術文献】
【特許文献】
【０００５】
【特許文献１】特開昭５８−６６７４７号公報
【発明の概要】
【発明が解決しようとする課題】
【０００６】
本発明は、前記したような事情のもとで考え出されたものであり、切除可能領域を切除した場合に、その切断面が危険な状態となったり、あるいは見栄えを悪化させる要因になるといった不具合を適切に防止または抑制することが可能な温水ユニットを提供することを、その課題としている。
【課題を解決するための手段】
【０００７】
上記の課題を解決するため、本発明では、次の技術的手段を講じている。
【０００８】
本発明により提供される温水ユニットは、温水生成機能または温水貯留機能を有する温水関連機器を内部に収容する外装ケースと、この外装ケースのいずれかのケース壁部に断続的に設けられた複数のスリットを介して、前記ケース壁部の他の領域であるベース領域とは区画された状態に設けられ、かつ前記複数のスリットの相互間に位置する接続部を介して前記ベース領域に繋がっている切除可能領域と、を備えている、温水ユニットであって、前記ケース壁部には、前記切除可能領域と前記ベース領域との間に前記ケース壁部の厚み方向の段差が生じるように、前記切除可能領域および前記ベース領域に対して屈曲状に繋がった段差壁部が設けられており、この段差壁部に、前記複数のスリットおよび前記接続部が設けられていることを特徴としている。
【０００９】
このような構成によれば、次のような効果が得られる。
すなわち、ケース壁部の切除可能領域とベース領域とを繋ぐ接続部を、切断工具を用いて切断した場合、この接続部の切断面は、段差壁部の途中箇所またはベース領域の一側面に生じることとなり、前記ベース領域の端面には存在しないこととなる。したがって、温水ユニットの設置作業者やユーザの手が、前記切断面に容易に触れないようにして、怪我の虞をなくし、または少なくすることが可能となる。また、電気配線を配索するような場合には、この電気配線をバリ状の切断面に接触しないようにし、電気配線が損傷することを防止するといったことも可能となる。さらに、本発明によれば、前記切断面を、たとえば外装ケースの内側に配置させるなど、外部から見え難い配置とすることも可能であるため、温水ユニットの見栄えを良くすることができる他、錆汚れなどの発生も生じ難くし、また目立ち難くすることも可能である。
【００１０】
本発明において、好ましくは、前記ケース壁部は、前記外装ケースの内側と外側とを仕切っており、前記段差壁部は、前記ベース領域から前記外装ケースの内側に向けて突出している。
【００１１】
このような構成によれば、切除可能領域を切除すべく接続部を切断した場合、段差壁部に形成される接続部の切断面は、外装ケースの内側に位置することとなる。したがって、外装ケースの外部から前記切断面に手が触れる虞を一層少なくすることができる。また、前記切断面が外部から見えないようにし、見栄えをよくする上でも一層好ましいものとなる。
【００１２】
本発明において、好ましくは、前記複数のスリットのそれぞれは、前記ベース領域に対して前記切除可能領域寄りに離間した配置に設けられており、前記段差壁部のうち、前記複数のスリットよりも前記ベース領域寄りの部分は、前記ベース領域からその厚み方向に屈曲して突出した突出部とされている。
【００１３】
このような構成によれば、接続部を切断して切除可能領域をベース領域から切除した場合、前記突出部が、前記ベース領域の端部から屈曲して繋がった形態となる。このため、前記突出部は、前記ベース領域の端部に設けられた補強用のリブあるいはフランジとしての役割を果たすこととなる。したがって、ベース領域の強度を高める上で好ましいものとなる。また、ベース領域の端部には、突出部の基部が位置することとなるが、この突出部の基部は、適度な丸みを帯びた滑らかな面をもつ部分として形成することが可能である。このため、ベース領域の端部をそのような滑らかな面とし、この部分に手が触れたとしても怪我を生じないようにすることができる。
【００１４】
本発明において、好ましくは、前記外装ケースは、配管部材または電気配線部材を通すための開口部、およびこの開口部を塞ぐためのカバー部材を備えており、このカバー部材が、前記切除可能領域および前記ベース領域を備えている前記ケース壁部である。
【００１５】
このような構成によれば、配管部材または電気配線部材を外装ケースの内側から外側に引き出すための開口部を、カバー部材によって塞いだ状態と、開口させた状態とのいずれかを選択的に設定することが可能となる。
【００１６】
本発明において、好ましくは、前記接続部は、前記切除可能領域側の一端部よりも前記ベース領域側の他端部の方が、幅が狭い構成とされている。
【００１７】
このような構成によれば、接続部を切断することにより形成される切断面の面積を小さくし、この切断面に生じるバリの小サイズ化を図ることができる。その結果、切断面に手が触れて怪我をするといった虞をより生じ難くすることが可能である。
【００１８】
本発明のその他の特徴および利点は、添付図面を参照して以下に行なう発明の実施の形態の説明から、より明らかになるであろう。
【図面の簡単な説明】
【００１９】
【図１】（ａ）は、本発明に係る温水ユニットの一例を示す背面斜視図であり、（ｂ）は、その正面斜視図である。
【図２】図１（ａ）のII−II断面図である。
【図３】図１に示す温水ユニットの仕様変更を行なった状態の一例を示す背面斜視図である。
【図４】図３のIV−IV断面図である。
【図５】（ａ）は、図１に示す温水ユニットの外装ケースのカバー部材の背面斜視図であり、（ｂ）は、その正面斜視図であり、（ｃ）は、（ａ）のVc−Vc断面図である。
【図６】（ａ）は、図５に示すカバー部材の切除可能領域を切除した状態を示す背面斜視図であり、（ｂ）は、（ａ）の断面図である。
【図７】本発明の他の例を示す背面斜視図である。
【図８】本発明の他の例を示す断面図である。
【図９】図８に示す温水ユニットの仕様変更を行なった状態の断面図である。
【図１０】（ａ）は、本発明の他の例を示す正面斜視図であり、（ｂ）は、（ａ）のXb−Xb断面図であり、（ｃ）は、（ｂ）の構成において切除可能領域を切除した状態の断面図である。
【図１１】（ａ）は、本発明の他の例を示す正面斜視図であり、（ｂ）は、（ａ）のXIb部の拡大平面図である。
【図１２】本発明の他の例を示す正面斜視図である。
【発明を実施するための形態】
【００２０】
以下、本発明の好ましい実施の形態について、図面を参照して具体的に説明する。
【００２１】
図１に示す温水ユニットＵは、カバー部材２を含む外装ケース１を備えており、図２によく表れているように、外装ケース１内には、貯湯タンク３、補助熱源機４、および制御部５が収容されている。
【００２２】
貯湯タンク３および補助熱源機４は、本発明でいう温水関連機器の具体例に相当する。この温水ユニットＵは、たとえばヒートポンプなどの主熱源機（不図示）と組み合わせて用いられる貯湯式給湯装置に相当し、貯湯タンク３は、主熱源機によって加熱された湯水を貯留するための機器である。補助熱源機４は、貯湯タンク３から出湯する湯水温度が所望の給湯目標温度に満たないなどの場合に、その湯水を加熱するための機器であり、たとえばバーナ４０、バーナ４０によって発生された燃焼ガスからの熱回収により湯水加熱を行なうための熱交換器４１，４２、および熱回収後の燃焼ガスを排気口４３に導いて外装ケース１の外部に排出するための排気集合筒４４などを備えている。制御部５は、マイク
ロコンピュータなどを用いて構成されており、温水ユニットＵの各部の動作制御やデータ処理制御を実行する。
【００２３】
外装ケース１は、たとえば表面に塗装が施されたカラー鋼板などを用いて形成されたパネル状の複数のケース壁部１０（１０ａ〜１０ｆ）を備えた内部空洞状であり、縦長な略直方体の前側下部を窪ませた外観形態である。勿論、外装ケース１の全体形状などはこれに限定されない。複数のケース壁部１０としては、具体的には、排気口４３が設けられた第１の前壁部１０ａ、その下側後方に位置する第２の前壁部１０ｂ、これら第１および第２の前壁部１０ａ，１０ｂに対向する後壁部１０ｃ、左右両側壁部１０ｄ、上壁部１０ｅ、ならびに中間底壁部１０ｆがある。後壁部１０ｃには、後述するように、カバー部材２がビス止めなどの手段を用いて取付けられている。このカバー部材２も、ケース壁部の概念に含まれる。
図面において、符号１９は、外装ケース１の前側フレーム下部を示し、符号８８はベース部材を示している。
【００２４】
この温水ユニットＵにおいては、図２に示すように、湯水流通用の複数の配管部材６０を、第２の前壁部１０ｂの前方に引き出すことが可能とされている（図１（ｂ）では省略）。複数の配管部材６０は、たとえば貯湯タンク３への入水用配管部、補助熱源機４からの出湯用配管部、および主熱源機との接続を図るための配管部材などである。ただし、温水ユニットＵの後壁部１０ｃの下部には、配管引き出し用の開口部１１が設けられ、かつこの開口部１１がカバー部材２によって覆われている。このことにより、後述するように、複数の配管部材６０の全部または一部を開口部１１から外装ケース１の後方に引き出すことが可能とされている。
【００２５】
カバー部材２は、外装ケース１の他のケース壁部１０と同様に、たとえばカラー鋼板などの金属板を用いて構成されている。
より具体的には、図５によく表れているように、カバー部材２は、切除可能領域２１とベース領域２０とに区画されており、かつこれら２つの領域２１，２０間にカバー部材２の厚み方向に段差を生じた段押し状のプレート材として構成されている。カバー部材２には、後述する複数のスリット２３および接続部２４が設けられている。切除可能領域２１とベース領域２０とは、ベース領域２０から外装ケース１の前方側（外装ケース１の内側）に突出するように屈曲した段差壁部２２を介して繋がっている。この段差壁部２２は、正面視略Π字状であり、略水平状に延びる横辺部２２ａと、この横辺部２２ａの長手方向両端部からカバー部材２の下端まで下向きに延びる左右一対の縦辺部２２ｂとを有している。
【００２６】
複数のスリット２３は、たとえば長矩形状であり、段差壁部２２に所定の間隔で断続的に設けられている。これら複数のスリット２３の各相互間領域が、接続部２４であり、複数の接続部２４を介して切除可能領域２１とベース領域２０とは繋がっている。各スリット２３は、ベース領域２０から適当な寸法Ｌａだけカバー部材２の前方側（切除可能領域２１側）へ離間した配置に設けられている。このため、段差壁部２２のうち、複数のスリット２３よりもベース領域２０寄りの部分は、ベース領域２０からその前方に向けて前記した寸法Ｌａで突出した突出部２２ｃとなっている。
【００２７】
このカバー部材２においては、複数の接続部２４のそれぞれをニッパなどの切断工具を用いて切断することにより、図６に示すように、切除可能領域２１をベース領域２０から容易に切除することが可能である。カバー部材２のうちのベース領域２０には、カバー部材２を後壁部１０ｃにビス止めするための孔部２８が設けられている。
【００２８】
次に、前記した温水ユニットＵの作用について説明する。
【００２９】
まず、温水ユニットＵを設置する場合、種々の事情により、図２に示した複数の配管部材６０の施工態様とは異なり、複数の配管部材６０の全部または一部を外装ケース１の後方側に引き出したい場合がある。この場合には、図６を参照して説明したように、カバー部材２の各接続部２４を切断し、カバー部材２を切除可能領域２１が切除されたカバー部材２’（ベース領域２０のみの状態）に設定する。このカバー部材２’を、図３および図４に示すように、外装ケース１の後壁部１０ｃに取付けることにより、開口部１１を適度な開口面積で開口させることが可能となり、この開口部１１を介して複数の配管部材６０の全部または一部を外装ケース１の後方に引き出すことができる。したがって、配管施工作業の融通性に優れたものとなる。
【００３０】
前記したカバー部材２’（ベース領域２０のみの部材）は、接続部２４の切断面２５が、外装ケース１の内側に位置し、かつ外装ケース１内の中心側（前方側）を向いたものとなる。このため、作業者が外装ケース１の後方側から開口部１１に手を差し入れた場合に、切断面２５に手が触れ難くなる。したがって、切断面２５に仮にバリが生じていたとしても、このバリに手が触れて作業者が怪我をする虞をなくすことができる。また、カバー部材２’の端面２０ａ（開口部１１の周面に相当）は、段差壁部２２の基部に相当し、角部が適度な丸みを帯びた滑らかな面となっている。したがって、このカバー部材２’の端面２０ａに手を触れたとしても、怪我を生じないようにすることができる。
【００３１】
前記した各切断面２５は、外装ケース１の外部からは容易に見えず、外観上目立たないものとなっている。このため、外装ケース１の体裁を良くすることも可能である。また、各切断面２５が外装ケース１の外部に晒されている場合には、錆を生じ易く、その周辺部に錆汚れが広がる虞があるが、このような虞もなくすことが可能である。
【００３２】
図５に示したように、各スリット２３は、ベース領域２０から適当な寸法Ｌａだけ離間した配置に設けられているため、切除可能領域２１を切除した後においても、ベース領域２０の端部には、突出部２２ｃが屈曲して繋がった形態となる。このため、突出部２２ｃが補強リブまたは補強フランジとしての役割を果たし、カバー部材２’（ベース領域２０のみの部材）の端部およびその周辺部の強度が高められる。その結果、カバー部材２’が比較的薄手であっても、容易に変形し難いものとすることができる。
【００３３】
図７〜図１２は、本発明の他の実施形態を示している。これらの図において、前記実施形態と同一または類似の要素には、前記実施形態と同一の符号を付すこととし、重複説明は省略する。
【００３４】
図７に示す温水ユニットＵａにおいては、外装ケース１の後壁部１０ｃに、複数のスリット２３および接続部２４を形成し、切除可能領域２１Ｂが直接設けられている。前記実施形態のカバー部材２は、用いられていない。
本実施形態においては、切除可能領域２１Ｂが後壁部１０ｃのベース領域２０Ｂから切除されていない場合には、後壁部１０ｃに開口部が形成されていない状態である。これに対し、切除可能領域２１Ｂを切除すると、その切除領域が開口部となる。したがって、この開口部に、配管部材６０を通すといったことが可能となる。
本実施形態から理解されるように、切除可能領域は、外装ケースに付属して取付けられるカバー部材（ケース壁部）に設けることに代えて、外装ケースの固定状のケース壁部に直接設けた構成とすることもできる。
【００３５】
図８に示す温水ユニットＵｂにおいては、外装ケース１の中間底壁部１０ｆに、切除可能領域２１Ａが設けられている。より具体的には、中間底壁部１０ｆは、切除可能領域２１Ａが、他の領域であるベース領域２０Ａよりも下方に位置する段押し状とされており、
切除可能領域２１Ａとベース領域２０Ａとの間には、ベース領域２０Ａから下向きに突出した段差壁部２２Ａが形成されている。この段差壁部２２Ａに、複数のスリット２３、および接続部２４が設けられている。
【００３６】
本実施形態によれば、図９に示すように、切除可能領域２１Ａを切除すると、開口部１１Ａが形成され、この開口部１１Ａに、たとえば制御部５に一端側が接続された電気配線部材６１（ハーネス）を通すことができ、電気配線に便宜を図ることができる。一方、ベース領域２０Ａには、段差壁部２２Ａの突出部２２ｃ（上部領域）が下向き状に突出して残存し、その下面に、接続部２４の切断面２５が位置する。このため、電気配線部材６１を切断面２５に接触しないように開口部１１Ａに通すことができる。切断面２５が、仮に、開口部１１Ａの内周側面、あるいは内周縁上面に存在する場合には、切断面２５に電気配線部材６１が接触し、損傷する虞があるが、本実施形態においては、そのような虞をなくし、電気配線部材６１を保護することが可能である。
【００３７】
切断面２５は、中間底壁部１０ｆの下面側に位置するため、作業者の手を中間底壁部１０ｆの下面に近づけた場合には、この切断面２５に手が触れる虞があるものの、作業者がそのように中間底壁部１０ｆの下面に手を頻繁に近づけることは少なく、怪我の虞は少ないと考えられる。このように、本実施形態においては、電気配線部材６１の保護を優先した構成となっている。なお、中間底壁部１０ｆは地面から比較的低い高さにあるため、中間底壁部１０ｆの下面の切断面２５は外部から不体裁に見え難く、切断面２５の存在が外装ケース１の外観を損なうこともない。
【００３８】
本実施形態から理解されるように、本発明においては、切除可能領域が設けられる壁部は、外装ケースの後壁部に限らず、これ以外の壁部であってもよく、また切除可能領域を切除することによって形成される開口部には、配管部材以外の部材を通すようにしてもよい。もちろん、前記開口部には、配管部材や電気配線部材などを通すことなく、この開口部を通気用あるいはメンテナンス用の開口部として用いてもよい。
【００３９】
図１０に示す実施形態においては、各スリット２３の１つの内側面２３ａが、ベース領域２０の一側面２０ｂと略面一状となるように、各スリット２３がベース領域２０の一側面２０ｂに沿って設けられている。
本実施形態によれば、各接続部２４をベース領域２０寄りの位置で切断し、同図（ｃ）に示すように、切除可能領域２１を切除した場合、ベース領域２０には、段差壁部２２が存在せず、または殆ど存在せず、切断面２５は、ベース領域２０の一側面２０ｂと略面一状となる。このため、本実施形態においては、先に述べた実施形態とは異なり、ベース領域２０にリブ状またはフランジ状の突出部２２ｃを設けることはできない。ただし、切断面２５は、ベース領域２０の端面２０ａには存在しない構成であるため、開口部１１に手を差し入れた場合に、切断面２５に手が触れ難いものとし、本発明が意図する作用を適切に得ることが可能である。
【００４０】
図１１に示す実施形態においては、各接続部２４のベース領域２０側の幅Ｌｂが、切除可能領域２１側の幅Ｌｃよりも小さくされている。
本実施形態によれば、各接続部２４をベース領域２０側の位置で切断した場合に、切断面の幅は、幅Ｌｂとなり、切断面の面積を小さくすることが可能である。したがって、作業者の手などが切断面に接触する虞を少なくする上で、より好ましいものとなる。
本実施形態から理解されるように、接続部は、各所の幅が均一、不均一のいずれであってもよい。
【００４１】
図１２に示す実施形態においては、複数のスリット２３および接続部２４が設けられている段差壁部２２が、カバー部材２の左右横幅方向の一端部から他端部にわたって略水平
状に延びた形態に設けられている。このため、カバー部材２のうち、段差壁部２２よりも下側の領域の全体が切除可能領域２１である一方、段差壁部２２よりも上側の領域の全体がベース領域２０である。
本発明における段差壁部、複数のスリットおよび接続部の配列は、先に述べた正面視略Π字状に代えて、本実施形態のように、直線状としてもよく、その具体的な形状は限定されない。段差壁部は、正面視円形状、矩形状、あるいはその他の形状のループ状とすることも可能である。複数のスリットおよび接続部は、段差壁部に形成されていればよい。
【００４２】
本発明は、上述した実施形態の内容に限定されない。本発明に係る温水ユニットの各部の具体的な構成は、本発明の意図する範囲内において種々に設計変更自在である。
【００４３】
本発明でいう段差壁部は、既述したように、その具体的な正面視形状などが限定されないことは勿論のこと、ベース領域および切除可能領域の厚み方向における具体的な幅（段差の寸法）なども限定されない。複数のスリットおよび接続部の具体的な形状、サイズ、配列ピッチなども限定されない。スリットは、一般的には細幅な孔部を意味するが、本発明においては、幅が比較的広い孔部も、スリットの概念に含まれる。
本発明でいう外装ケースのケース壁部は、外装ケースの本体部を構成する壁部に限らず、外装ケースの本体部に付属して設けられる壁部も含む概念である。
本発明でいう温水関連機器とは、温水生成機能または温水貯留機能を有する機器を意味するが、その具体的な種類や数は問わない。温水関連機器には、貯湯タンクや瞬間式の給湯器などの他に、たとえばヒートホンプやコージェネレーションシステム機器なども該当する。したがって、本発明に係る温水ユニットは、たとえば貯湯タンクユニット、給湯器ユニット、ヒートポンプユニット、コージェネレーションシステムなどとして構成することができる。
【符号の説明】
【００４４】
Ｕ，Ｕａ，Ｕｂ  温水ユニット
１  外装ケース
１０ｃ  後壁部（ケース壁部）
１１  開口部
２  カバー部材（ケース壁部）
２０  ベース領域
２１  切除可能領域
２２  段差壁部
２２ｃ  突出部
２３  スリット
２４  接続部
３  貯湯タンク（温水関連機器）
４  補助熱源機（温水関連機器）
【図１】
2019207069.tif 000003
【図２】
2019207069.tif 000004
【図３】
2019207069.tif 000005
【図４】
2019207069.tif 000006
【図５】
2019207069.tif 000007
【図６】
2019207069.tif 000008
【図７】
2019207069.tif 000009
【図８】
2019207069.tif 000010
【図９】
2019207069.tif 000011
【図１０】
2019207069.tif 000012
【図１１】
2019207069.tif 000013
【図１２】
2019207069.tif 000014